(57)【特許請求の範囲】
【請求項１】
調光率を示す調光信号と所定の係数を含むパラメータ信号とを受信する端子部と、
前記端子部が受信したパラメータ信号に含まれる前記所定の係数を記憶する記憶部と、
前記端子部が受信した前記調光信号に基づく値に、前記記憶部に記憶された前記所定の係数を乗じる制御部と、
前記制御部が前記所定の係数を乗じた調光信号に基づく値に応じた明るさの光を光源部に出力させる点灯回路部と、
前記端子部と前記制御部との間に設けられた、前記調光信号を平滑する平滑回路である調光信号変換部と、
前記端子部と前記制御部との間に前記調光信号変換部と並列に設けられた、前記パラメータ信号にスイッチングされるスイッチング回路であるパラメータ信号変換部と、を備える
照明器具。
【請求項２】
前記調光信号と前記パラメータ信号とは、異なる周波数の信号である
請求項１に記載の照明器具。
【請求項３】
さらに、前記調光信号変換部と並列、かつ、前記端子部と前記パラメータ信号変換部との間において当該パラメータ信号変換部と直列に設けられた遮断部を備え、
前記遮断部は、前記パラメータ信号変換部への所定の信号を遮断する
請求項１又は２に記載の照明器具。
【請求項４】
前記遮断部は、前記所定の信号として前記調光信号変換部から前記パラメータ信号変換部へ流れる電流を遮断する整流器である
請求項３に記載の照明器具。
【請求項５】
前記遮断部は、前記所定の信号として前記端子部から前記パラメータ信号変換部への前記調光信号を遮断するフィルタである
請求項３に記載の照明器具。
【請求項６】
前記記憶部は、照明器具を識別する識別情報を記憶し、
前記パラメータ信号は、所定の識別情報を含み、
前記制御部は、前記記憶部に記憶された識別情報が、前記端子部が受信した前記パラメータ信号に含まれる前記所定の識別情報と一致する場合に、前記端子部が受信した前記調光信号に基づく値に前記記憶部に記憶された前記所定の係数を乗じる
請求項１〜５のいずれか１項に記載の照明器具。
【発明の詳細な説明】
【技術分野】
【０００１】
本発明は、光源の明るさを調光可能な照明器具に関する。
【背景技術】
【０００２】
従来、照明器具の外部に設けられたコントローラによって照明器具における光源のオン・オフ又は調光等を制御される照明器具が提案されている。特許文献１には、このような照明器具に関する技術が記載されている。
【先行技術文献】
【特許文献】
【０００３】
【特許文献１】特開２０１５−１０９１９７号公報
【発明の概要】
【発明が解決しようとする課題】
【０００４】
ところで、照明器具が出力可能な明るさの範囲（明るさ範囲）が多岐にわたるラインナップからユーザ好みの明るさ範囲を有する照明器具を選びたいという要望がある。具体的には、明るさ（光束）範囲が例えば０〜１０００ｌｍ、０〜２０００ｌｍ、・・・、０〜１００００ｌｍ等の照明器具のラインナップから好みの明るさ範囲（例えば０〜５０００ｌｍ等）を有する照明器具を選びたいという要望がある。
【０００５】
しかしながら、照明器具の明るさ範囲のラインナップを増やすためには、ラインナップ毎に明るさ範囲に応じた電源ブロックを開発する必要がある。これにより、開発工数が増加し、また、製造工場における電源ブロックの品番管理が煩雑化することで、照明器具の製造コストが増加してしまう。
【０００６】
そこで、本発明は、出力可能な明るさの範囲のラインナップを容易に増やすことができる照明器具を提供することを目的とする。
【課題を解決するための手段】
【０００７】
本発明の一態様に係る照明器具は、調光率を示す調光信号と所定の係数を含むパラメータ信号とを受信する端子部と、前記端子部が受信したパラメータ信号に含まれる前記所定の係数を記憶する記憶部と、前記端子部が受信した前記調光信号に基づく値に、前記記憶部に記憶された前記所定の係数を乗じる制御部と、前記制御部が前記所定の係数を乗じた調光信号に基づく値に応じた明るさの光を光源部に出力させる点灯回路部と、を備える。
【発明の効果】
【０００８】
本発明の一態様に係る照明器具によれば、出力可能な明るさの範囲のラインナップを容易に増やすことができる。
【図面の簡単な説明】
【０００９】
【図１】実施の形態に係る照明器具の一例を示す構成図である。
【図２】調光信号及びパラメータ信号の波形の一例を示す図である。
【図３】実施の形態に係る記憶部が記憶する調光テーブルの一例を示す図である。
【図４】実施の形態に係る遮断部が整流器の場合の遮断部の動作を説明するための図である。
【図５】実施の形態に係る遮断部がフィルタの場合の遮断部の動作を説明するための図である。
【図６】コントローラに複数の照明器具が接続された状態を示す図である。
【図７】パラメータ信号に含まれる情報の一例を示す図である。
【図８】実施の形態に係る照明器具の効果を説明するための図である。
【発明を実施するための形態】
【００１０】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態）
以下、実施の形態について、図１から図７を用いて説明する。
【００１３】
図１は、実施の形態に係る照明器具１の一例を示す構成図である。なお、図１には、照明器具１の構成要素ではないコントローラ３０及び設定器４０も示されている。
【００１４】
照明器具１は、照明器具１の外部に設けられたコントローラ３０によって照明器具１における光源部２０のオン・オフ又は調光等を制御される。また、照明器具１は、照明器具１の外部に設けられた設定器４０によって照明器具１の出力可能な明るさの範囲（明るさ範囲）の設定が変更される。照明器具１の明るさ範囲の設定とは、例えば照明器具１における光源部２０が出力可能な明るさ（光束）の範囲を０〜１０００ｌｍ、０〜２０００ｌｍ、・・・、０〜１００００ｌｍ等のように設定することを意味する。つまり、例えば、明るさ範囲が０〜１０００ｌｍに設定された照明器具１は、０〜１０００ｌｍの間で調光され、例えば、明るさ範囲が０〜１００００ｌｍに設定された照明器具１は、０〜１００００ｌｍの間で調光される。このように、照明器具１は、外部に設けられたコントローラ３０又は設定器４０等からの指示に基づいて動作する照明器具である。
【００１５】
照明器具１は、電源ブロック１０及び光源部２０を備える。電源ブロック１０は、コントローラ３０からの信号に基づいた電力を光源部２０へ供給する電源回路である。光源部２０は、電源ブロック１０からの電圧又は電流によって明るさが変化する光源であって、例えばＬＥＤ（Ｌｉｇｈｔ  Ｅｍｉｔｔｉｎｇ  Ｄｉｏｄｅ）又は蛍光灯等である。
【００１６】
電源ブロック１０は、端子部１１、制御部１２、点灯回路部１３、調光信号変換部１４、パラメータ信号変換部１５、遮断部１６及び記憶部１７を備える。
【００１７】
端子部１１は、調光率を示す調光信号と所定の係数を含むパラメータ信号とを受信する。調光信号は、コントローラ３０が送信する信号であり、例えばＰＷＭ（Ｐｕｌｓｅ  Ｗｉｄｔｈ  Ｍｏｄｕｌａｔｉｏｎ）信号である。パラメータ信号は、設定器４０が送信する信号であり、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号である。パラメータ信号に含まれる所定の係数は、例えば０より大きく１以下の値であり、後述する制御部１２が調光信号に基づく値に乗じる値である。調光信号及びパラメータ信号の波形については、後述する図２で詳細に説明する。端子部１１は、コントローラ３０からの調光信号及び設定器４０からのパラメータ信号を受信するための端子である。端子部１１は、端子部１１と例えば有線で接続されたコントローラ３０から調光信号を受信する。また、端子部１１は、端子部１１と例えば有線で接続された設定器４０からパラメータ信号を受信する。設定器４０は、例えば照明器具１の出荷前に製造工場において照明器具１の設定をするときに端子部１１と接続される。また、コントローラ３０は、例えば照明器具１の出荷後にユーザが照明器具１を使用する環境（例えば住宅、オフィス等の施設）において照明器具１の調光をするときに端子部１１と接続される。照明器具１は、コントローラ３０と設定器４０とを接続するための端子をそれぞれ備える必要はなく、コントローラ３０と設定器４０とは、それぞれ同一の端子（端子部１１）によって照明器具１に接続される。つまり、照明器具１の調光をするための信号（調光信号）を受信する端子部１１は、照明器具１の設定をするための信号（パラメータ信号）も受信する。なお、コントローラ３０と設定器４０とは、同時に端子部１１に接続されてもよい。
【００１８】
記憶部１７は、プログラム及びデータを予め保持しているＲＯＭ（Ｒｅａｄ  Ｏｎｌｙ  Ｍｅｍｏｒｙ）等であり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性メモリである。記憶部１７は、端子部１１が受信したパラメータ信号に含まれる所定の係数を記憶する。また、記憶部１７は、０から２５５等のデジタル値と、ｄｕｔｙ比との対応関係を示す調光テーブルを記憶する。調光テーブルについては、後述する図３で詳細に説明する。
【００１９】
制御部１２は、端子部１１が受信した調光信号に基づく値に、記憶部１７に記憶された所定の係数を乗じる制御を行う、例えばマイクロコンピュータである。制御部１２は、例えば、Ｈｉｇｈレベル又はＬｏｗレベルの通信信号が入力される通信ポートを有する。また、制御部１２は、例えば、ＡＤ変換機能を有し、デジタル値に変換されるアナログ電圧が入力されるＡＤポートを有する。制御部１２は、記憶部１７に格納されたプログラムを実行することにより端子部１１が受信した調光信号に基づく値に記憶部１７に記憶された所定の係数を乗じるための処理を行う。具体的には、制御部１２は、端子部１１が受信したパラメータ信号に含まれる所定の係数を記憶部１７に記憶する。そして、制御部１２は、その後端子部１１が受信した調光信号に基づく値に記憶部１７が記憶した所定の係数を乗じる。調光信号に基づく値については、後述する図３で詳細に説明する。なお、記憶部１７は、制御部１２が備えている記憶部（例えばマイクロコンピュータが備えているメモリ等）であってもよい。
【００２０】
また、制御部１２は、所定の係数を乗じた調光信号に基づく値に応じたｄｕｔｙ信号を点灯回路部１３へ送信する。ｄｕｔｙ信号は、点灯回路部１３が光源部２０に出力する電圧又は電流のｄｕｔｙ比を示す信号である。
【００２１】
点灯回路部１３は、制御部１２が所定の係数を乗じた調光信号に基づく値に応じた明るさの光を光源部２０に出力させる回路である。具体的には、点灯回路部１３は、制御部１２から送信されたｄｕｔｙ信号に応じた電圧又は電流を光源部２０に出力する回路である。
【００２２】
調光信号変換部１４は、端子部１１と制御部１２との間に設けられた回路であり、端子部１１が受信した調光信号を平滑する平滑回路である。具体的には、調光信号変換部１４は、調光信号（ＰＷＭ信号）を平滑してアナログ電圧に変換するＲＣ回路である（後述する図４及び図５参照）。これにより、制御部１２は、調光信号変換部１４により変換された調光信号（アナログ電圧）を、ＡＤポートを介して取得する。
【００２３】
パラメータ信号変換部１５は、端子部１１と制御部１２との間に調光信号変換部１４と並列に設けられた回路であり、端子部１１が受信したパラメータ信号にスイッチングされるスイッチング回路である。具体的には、パラメータ信号変換部１５は、パラメータ信号（ＵＡＲＴ信号）を制御部１２が認識できる波形に変換する、トランジスタ等を使用したスイッチング回路である。例えば、コントローラ３０にとってはＨｉｇｈレベルの信号であっても、制御部１２にとってはＨｉｇｈレベルの信号ではないことがあるため、パラメータ信号変換部１５は、パラメータ信号を制御部１２が認識できるＨｉｇｈレベルに増幅する。これにより、制御部１２は、パラメータ信号変換部１５により変換されたパラメータ信号を制御部１２が有する通信ポートを介して取得できる。
【００２４】
遮断部１６は、調光信号変換部１４と並列、かつ、端子部１１とパラメータ信号変換部１５との間においてパラメータ信号変換部１５と直列に設けられた回路であり、パラメータ信号変換部１５への所定の信号を遮断する回路である。遮断部１６については、後述する図４及び図５で詳細に説明する。
【００２５】
コントローラ３０は、例えば住宅又はオフィス等のユーザが使用する施設に設置されるリモコン又はＰＣ（Ｐｅｒｓｏｎａｌ  Ｃｏｍｐｕｔｅｒ）等であり、ユーザによるコントローラ３０への操作又は予め定められたスケジュール動作により照明器具１における光源部２０のオン・オフ又は調光等の制御を行う。
【００２６】
設定器４０は、例えば照明器具１の製造工場等の施設で使用されるＰＣ等であり、照明器具１の明るさ範囲の設定を行うための機器である。なお、設定器４０は、住宅又はオフィス等のユーザが使用する施設で使用されてもよい。つまり、メーカーが製造工場等の施設で照明器具１の明るさ範囲の設定を行ってもよく、ユーザが住宅又はオフィス等のユーザが使用する施設で照明器具１の明るさ範囲の設定を行ってもよい。
【００２７】
次に、調光信号及びパラメータ信号の波形について、図２を用いて説明する。
【００２８】
図２は、調光信号及びパラメータ信号の波形の一例を示す図である。
【００２９】
図２に示されるように、調光信号は、周期が例えば１ｍｓのＰＷＭ信号である。つまり、調光信号は、周波数が例えば１ｋＨｚの信号である。また、パラメータ信号は、１ビットに対応するデータが例えば０．１ｍｓで表されるＵＡＲＴ信号である。つまり、パラメータ信号は、周波数が例えば１０ｋＨｚの信号である。このように、調光信号とパラメータ信号とは、互いに異なる周波数の信号である。本実施の形態では、パラメータ信号は、調光信号よりも周波数が高い信号とする。
【００３０】
次に、記憶部１７が記憶する調光テーブルについて図３を用いて説明する。
【００３１】
図３は、実施の形態に係る記憶部１７が記憶する調光テーブルの一例を示す図である。
【００３２】
図３に示されるように、調光テーブルは、例えば８ビットで表される０から２５５のデジタル値とｄｕｔｙ比とが対応付けられたテーブルである。制御部１２は、制御部１２が取得した調光信号（アナログ電圧）をＡＤポートでＡＤ変換したデジタル値を調光テーブルに照合する。調光テーブルにおけるｄｕｔｙ比は、制御部１２が点灯回路部１３に送信するｄｕｔｙ信号が示すｄｕｔｙ比となる。ただし、詳細は後述するが、調光テーブルにおけるｄｕｔｙ比が、制御部１２が点灯回路部１３に送信するｄｕｔｙ信号が示すｄｕｔｙ比とならない場合もある。ここで、調光テーブルの使われ方について説明する。
【００３３】
制御部１２は、ＡＤポートに入力された調光信号（アナログ電圧）をデジタル値に変換し、当該デジタル値を調光テーブルに照合する。例えば、アナログ電圧から変換されたデジタル値が２０４の場合、制御部１２は図３に示される調光テーブルのデジタル値２０４に対応するｄｕｔｙ比８０％を示すｄｕｔｙ信号を点灯回路部１３に送信する。そして、点灯回路部１３は、ｄｕｔｙ比８０％（調光率８０％）で光源部２０を点灯させる。例えば、ｄｕｔｙ比が１００％のときの光源部２０の明るさが１００００ｌｍの場合、点灯回路部１３は、光源部２０の明るさを８０００ｌｍに調光する。
【００３４】
本実施の形態では、制御部１２は、調光信号に基づく値に所定の係数を乗じる。調光信号に基づく値は、例えば、アナログ電圧から変換されたデジタル値である。アナログ電圧から変換されたデジタル値が２０４の場合、制御部１２は２０４に記憶部１７に記憶された所定の係数を乗じる。所定の係数が例えば０．５の場合、制御部１２は２０４に０．５を乗じる。そして、制御部１２は、２０４に０．５を乗じた１０２を調光テーブルに照合する。これにより、制御部１２は、ｄｕｔｙ比４０％を示すｄｕｔｙ信号を点灯回路部１３に送信する。そして、点灯回路部１３は、ｄｕｔｙ比４０％（調光率４０％）で光源部２０を点灯させる。
【００３５】
また、調光信号に基づく値は、例えば、制御部１２がアナログ電圧から変換されたデジタル値を調光テーブルに照合したときの当該デジタル値に対応するｄｕｔｙ比であってもよい。例えば、アナログ電圧から変換されたデジタル値が２０４の場合、制御部１２は調光テーブルにおいてデジタル値２０４に対応するｄｕｔｙ比８０％に所定の係数（例えば０．５）を乗じたｄｕｔｙ比４０％を示すｄｕｔｙ信号を点灯回路部１３に送信する。このように、調光テーブルにおけるｄｕｔｙ比は８０％であり、制御部１２が点灯回路部１３に送信するｄｕｔｙ信号が示すｄｕｔｙ比は４０％であるので、上述した調光テーブルにおけるｄｕｔｙ比が、制御部１２が点灯回路部１３に送信するｄｕｔｙ信号が示すｄｕｔｙ比とならない場合とはこの場合のことである。
【００３６】
このように、制御部１２は、調光信号に基づく値と所定の係数との乗算に応じた調光率で、点灯回路部１３に光源部２０の調光制御を行わせる。
【００３７】
ところで、図１に示されるように、端子部１１と制御部１２との間には、互いに並列に設けられた調光信号変換部１４及びパラメータ信号変換部１５が存在する。照明器具１が遮断部１６を備えていない場合、パラメータ信号変換部１５へは所定の信号が入力される。
【００３８】
例えば、照明器具１が遮断部１６を備えていないときに端子部１１が調光信号を受信した場合、所定の信号として電流が調光信号変換部１４からパラメータ信号変換部１５へ流れる。後述する図４及び図５に示されるように、調光信号変換部１４はＲＣ回路であり、ＲＣ回路におけるコンデンサに貯められた電荷に応じたアナログ電圧が制御部１２のＡＤポートへ入力される。しかし、電流が調光信号変換部１４からパラメータ信号変換部１５へ流れることで、アナログ電圧の値が安定しない。つまり、コントローラ３０が送信した調光信号が示す調光率を制御部１２が正しく認識できなくなる。例えば、制御部１２は、調光率２０％を示す調光信号を制御部１２は調光率４０％等のように誤認識してしまう。
【００３９】
また、例えば、照明器具１が遮断部１６を備えていないときに端子部１１が調光信号を受信した場合、所定の信号として調光信号が端子部１１からパラメータ信号変換部１５へ入力される。これにより、制御部１２は、制御部１２の通信ポートへ入力された調光信号をパラメータ信号と誤認識してしまう。
【００４０】
そこで、照明器具１は、遮断部１６を備える。遮断部１６について図４及び図５を用いて説明する。
【００４１】
図４は、実施の形態に係る遮断部１６が整流器１０２ａの場合の遮断部１６の動作を説明するための図である。
【００４２】
遮断部１６は、パラメータ信号変換部１５への所定の信号を遮断する回路であり、例えば整流器１０２ａ（ダイオード）である。具体的には、遮断部１６は、所定の信号として調光信号変換部１４（抵抗１００ａ及びコンデンサ１０１ａで構成されるＲＣ回路）からパラメータ信号変換部１５へ流れる電流を遮断する整流器１０２ａである。図４に示されるように、調光信号変換部１４のコンデンサ１０１ａからパラメータ信号変換部１５への電流は整流器１０２ａによって遮断されるため、制御部１２のＡＤポートへ入力されるアナログ電圧は安定し、制御部１２は、調光信号を正しく認識できる。ただし、遮断部１６が整流器１０２ａの場合、パラメータ信号変換部１５へ調光信号も入力されるため、制御部１２は、制御部１２の通信ポートへ入力された調光信号をパラメータ信号と誤認識してしまうことがある。
【００４３】
そこで、遮断部１６は、例えばフィルタであってもよい。
【００４４】
図５は、実施の形態に係る遮断部１６がフィルタの場合の遮断部１６の動作を説明するための図である。
【００４５】
遮断部１６は、所定の信号として端子部１１からパラメータ信号変換部１５への調光信号を遮断するフィルタであってもよい。図５には、抵抗１００ｂ、コンデンサ１０１ｂ及び１０１ｃ並びにオペアンプ１０３ａで構成される低域遮断フィルタが示されている。本実施の形態では、図２に示されるように、調光信号はパラメータ信号よりも周波数が低い信号であるため、低域遮断フィルタを、調光信号を遮断しパラメータ信号を通過させる構成とする。これにより、図５に示されるように、端子部１１からパラメータ信号変換部１５への調光信号は低域遮断フィルタによって遮断されるため、制御部１２は、調光信号をパラメータ信号と誤認識しない。また、遮断部１６が整流器１０２ａでなく低域遮断フィルタの場合でも、調光信号変換部１４からパラメータ信号変換部１５への電流は低域遮断フィルタによって遮断される。
【００４６】
このように、遮断部１６は、調光信号変換部１４からパラメータ信号変換部１５へ流れる電流、又は、端子部１１からパラメータ信号変換部１５への調光信号を遮断するため、制御部１２に正常な動作をさせることができる。
【００４７】
ところで、照明器具１の明るさ範囲の設定は、例えば住宅、オフィス等の施設においてコントローラ３０と照明器具１との結線が完了した照明器具１の端子部１１に設定器４０がさらに接続されて行われてもよい。このとき、一般的に、図６に示されるように、１台のコントローラ３０に対して複数の照明器具１ａ〜１ｃが結線されていることが多い。
【００４８】
図６は、コントローラ３０に複数の照明器具１ａ〜１ｃが接続された状態を示す図である。
【００４９】
図６に示されるように、コントローラ３０が接続されている複数の照明器具１ａ〜１ｃの端子部１１に、設定器４０が接続される。この場合、設定器４０がパラメータ信号を送信するときに、照明器具１ａ〜１ｃの明るさ範囲の設定が一括変更されてしまうため、複数の照明器具１ａ〜１ｃのそれぞれに異なる明るさ範囲の設定をすることが難しい。
【００５０】
そこで、記憶部１７は、照明器具１を識別する識別情報を記憶し、パラメータ信号は、図７に示されるように所定の係数と所定の識別情報とを含んでいるとする。
【００５１】
図７は、パラメータ信号に含まれる情報の一例を示す図である。
【００５２】
例えば、照明器具１ａの記憶部１７には照明器具１ａを識別する識別情報として１が記憶され、照明器具１ｂの記憶部１７には照明器具１ｂを識別する識別情報として２が記憶され、照明器具１ｃの記憶部１７には照明器具１ｃを識別する識別情報として３が記憶されているとする。なお、識別情報は、製造年月日及び連番により構成される数字等であってもよい。そして、制御部１２は、記憶部１７に記憶された識別情報がパラメータ信号に含まれる所定の識別情報と一致する場合に、端子部１１が受信した調光信号に基づく値に記憶部１７に記憶された所定の係数を乗じる。例えば、所定の識別情報として１を含み、所定の係数として０．５を含むパラメータ信号が照明器具１ａ〜１ｃに送信された場合、記憶部１７に識別情報として１が記憶されている照明器具１ａの制御部１２は、パラメータ信号に含まれる係数０．５を記憶部１７に記憶する。記憶部１７に識別情報として１が記憶されていない照明器具１ｂ及び１ｃは、所定の識別情報として１を含むパラメータ信号を受信しても、当該パラメータ信号を破棄する。
【００５３】
これにより、コントローラ３０と複数の照明器具１ａ〜１ｃとの結線後であっても、複数の照明器具１ａ〜１ｃのそれぞれに異なる明るさ範囲の設定をすることができる。
【００５４】
［効果等］
照明器具のラインナップを増やすためには、ラインナップ毎に明るさ範囲に応じた電源ブロックを開発する必要がある。これにより、開発工数が増加し、また、製造工場における電源ブロックの品番管理が煩雑化することで、照明器具の製造コストが増加してしまう。
【００５５】
そこで、本実施の形態に係る照明器具１は、調光率を示す調光信号と所定の係数を含むパラメータ信号とを受信する端子部１１と、端子部１１が受信したパラメータ信号に含まれる所定の係数を記憶する記憶部１７と、端子部１１が受信した調光信号に基づく値に、記憶部１７に記憶された所定の係数を乗じる制御部１２と、制御部１２が所定の係数を乗じた調光信号に基づく値に応じた明るさの光を光源部２０に出力させる点灯回路部１３と、を備える。
【００５６】
ここで、照明器具１が奏する効果について図８を用いて説明する。
【００５７】
図８は、実施の形態に係る照明器具１の効果を説明するための図である。
【００５８】
例えば、図８に示されるように、明るさ範囲が０〜１０００ｌｍ、０〜２０００ｌｍ、・・・、０〜１００００ｌｍのラインナップからユーザ好みの明るさ範囲を有する照明器具１を選びたいという要望があるとする。このとき、端子部１１、制御部１２、点灯回路部１３及び記憶部１７等で構成される１種類の電源ブロック１０（例えば、照明器具１の光源部２０に０〜１００００ｌｍの明るさの光を出力させることができる電源ブロック１０）のみを開発すればよい。これにより、例えば、ユーザが０〜５０００ｌｍの明るさ範囲を有する照明器具１を要望している場合には、端子部１１が所定の係数として０．５を含むパラメータ信号を受信することで、制御部１２は、端子部１１が受信した調光信号に基づく値に０．５を乗じ、照明器具１は０〜５０００ｌｍの明るさ範囲を有することになる。つまり、ユーザが要望する明るさ範囲に応じた係数を含むパラメータ信号を端子部１１が受信することで、照明器具１の明るさ範囲をユーザ好みのものにすることができる。したがって、電源ブロック１０の品番を１品番にすることができ、照明器具１の製造コストを抑制しつつ、出力可能な明るさの範囲のラインナップを容易に増やすことができる。
【００５９】
また、調光信号とパラメータ信号とは、異なる周波数の信号である。
【００６０】
これにより、１つの端子を有する端子部１１を共用して調光信号とパラメータ信号とを受信するときに、それぞれの信号の周波数が異なるため、制御部１２は、調光信号とパラメータ信号とを区別しやすくなる。
【００６１】
また、照明器具１は、さらに、端子部１１と制御部１２との間に設けられた、調光信号を平滑する平滑回路である調光信号変換部１４と、端子部１１と制御部１２との間に調光信号変換部１４と並列に設けられた、パラメータ信号にスイッチングされるスイッチング回路であるパラメータ信号変換部１５と、を備える。
【００６２】
これにより、調光信号及びパラメータ信号が、制御部１２が取得できない（取り扱えない）信号であっても、取得できるようになる。
【００６３】
また、照明器具１は、さらに、調光信号変換部１４と並列、かつ、端子部１１とパラメータ信号変換部１５との間においてパラメータ信号変換部１５と直列に設けられた遮断部１６を備え、遮断部１６は、パラメータ信号変換部１５への所定の信号を遮断する。
【００６４】
これにより、所定の信号がパラメータ信号変換部１５へ入力されることで発生する制御部１２の動作への影響を抑制することができる。
【００６５】
また、遮断部１６は、所定の信号として調光信号変換部１４からパラメータ信号変換部１５へ流れる電流を遮断する整流器１０２ａである。
【００６６】
これにより、調光信号変換部１４からパラメータ信号変換部１５へ流れる電流が整流器１０２ａにより遮断されるため、調光信号変換部１４で変換され制御部１２へ入力されるアナログ電圧は安定し、制御部１２は調光信号を正しく認識できる。
【００６７】
また、遮断部１６は、所定の信号として端子部１１からパラメータ信号変換部１５への調光信号を遮断するフィルタである。
【００６８】
これにより、調光信号とパラメータ信号とが異なる周波数の信号の場合、フィルタを、調光信号を遮断しパラメータ信号を通過させるフィルタにすることで、パラメータ信号変換部１５への調光信号が遮断される。したがって、制御部１２は、調光信号をパラメータ信号と誤認識しない。また、フィルタが低域遮断フィルタの場合には、調光信号変換部１４からパラメータ信号変換部１５へ流れる電流が低域遮断フィルタにより遮断されるため、調光信号変換部１４で変換され制御部１２へ入力されるアナログ電圧は安定し、制御部１２は調光信号を正しく認識できる。
【００６９】
また、記憶部１７は、照明器具１を識別する識別情報を記憶し、パラメータ信号は、所定の識別情報を含む。制御部１２は、記憶部１７に記憶された識別情報が、端子部１１が受信したパラメータ信号に含まれる所定の識別情報と一致する場合に、端子部１１が受信した調光信号に基づく値に記憶部１７に記憶された所定の係数を乗じる。
【００７０】
これにより、パラメータ信号が所定の識別情報として複数の照明器具１ａ〜１ｃの記憶部１７がそれぞれ記憶する識別情報のうちのいずれかの識別情報を含む。したがって、コントローラ３０と複数の照明器具１ａ〜１ｃとが結線された後であっても、パラメータ信号に含まれる所定の識別情報に応じて、複数の照明器具１ａ〜１ｃのそれぞれに異なる明るさ範囲の設定をすることができる。
【００７１】
（その他の実施の形態）
以上、実施の形態に係る照明器具１について説明したが、本発明は、上記実施の形態に限定されるものではない。
【００７２】
例えば、上記実施の形態では、照明器具１は調光信号変換部１４及びパラメータ信号変換部１５を備えたが、これに限らない。例えば、照明器具１は、調光信号変換部１４及びパラメータ信号変換部１５を備えなくてもよい。ただし、この場合には、端子部１１が受信する調光信号及びパラメータ信号が、制御部１２が取得できる信号である必要がある。
【００７３】
また、例えば、上記実施の形態では、照明器具１は遮断部１６を備えたが、これに限らない。例えば、照明器具１は遮断部１６を備えなくてもよい。ただし、この場合には、端子部１１は、調光信号を受信するための端子と、当該端子と異なるパラメータ信号を受信するための端子とをそれぞれ有し、それぞれの端子から制御部１２への経路は合流しないことが好ましい。
【００７４】
また、例えば、上記実施の形態では、調光信号とパラメータ信号とは、異なる周波数の信号であったが、これに限らない。例えば、調光信号とパラメータ信号とは、同一の周波数の信号であってもよい。ただし、この場合には、制御部１２が調光信号とパラメータ信号とを区別して認識するために、パラメータ信号はパラメータ信号であることを示す情報をパラメータ信号のヘッダ等に含んでいることが好ましい。
【００７５】
また、例えば、上記実施の形態では、設定器４０がパラメータ信号を送信したが、これに限らない。例えば、コントローラ３０が設定器４０の機能を有していてもよく、コントローラ３０がパラメータ信号を送信してもよい。
【００７６】
また、例えば、上記実施の形態では、図３に示されるように、調光テーブルにおけるデジタル値とｄｕｔｙ比とは比例関係にあるが、これに限らない。一般的に、人の目は、暗い状態と明るい状態とにおいて同じ量の明るさが変化した場合、暗い状態における方が、明るさの変化を敏感に感じ取る。したがって、デジタル値が小さいときにはｄｕｔｙ比の増加幅を小さくしてもよい。
【００７７】
また、例えば、制御部１２は、調光テーブルのｄｕｔｙ比に所定の係数を乗じて調光テーブルを変更することで、明るさ範囲の設定を変更してもよい。例えば所定の係数が０．５の場合、調光テーブルにおけるｄｕｔｙ比はそれぞれ０．５倍されたものに変更される。この場合であっても、調光信号に基づく値に所定の係数が乗じられたときと同じ効果が得られる。ただし、調光テーブルが変更されると、さらに異なる明るさ範囲の設定をすることが難しくなるため、調光テーブルの変更によるものではなく、調光信号に基づく値に所定の係数を乗じることによって明るさ範囲の設定をすることが好ましい。
【００７８】
また、上記実施の形態の照明器具１に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部又は全てを含むように１チップ化されてもよい。
【００７９】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続および設定が再構成可能なリコンフィギュラブル・プロセッサが、利用されてもよい。
【００８０】
さらに、半導体技術の進歩又は派生する別技術によりＬＳＩに置き換わる集積回路化の技術が登場すれば、当然、その技術を用いて、照明器具１に含まれる複数の構成要素の集積回路化が行われてもよい。
【００８１】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８２】
１、１ａ〜１ｃ  照明器具
１１  端子部
１２  制御部
１３  点灯回路部
１４  調光信号変換部
１５  パラメータ信号変換部
１６  遮断部
１７  記憶部
２０  光源部
【図１】
0006631913.tif 000002
【図２】
0006631913.tif 000003
【図３】
0006631913.tif 000004
【図４】
0006631913.tif 000005
【図５】
0006631913.tif 000006
【図６】
0006631913.tif 000007
【図７】
0006631913.tif 000008
【図８】
0006631913.tif 000009